(57)【要約】      （修正有）【課題】被払拭物における棒状部分に付着した汚染物を確実に除去することができる清掃具を提供する。【解決手段】清掃具１は、利用者が把持する把持部１０と、食器洗浄機を払拭する払拭部２０とで構成され、払拭部２０は、把持部１０の一端に連結され、払拭部２０には、内部から払拭部２０における一端側の端部まで切り込まれ、食器洗浄機における棒状部が挿入できる切り込み部が設けられている。【選択図】図１
0003221086.tif 000002
【実用新案登録請求の範囲】
【請求項１】
利用者が把持する把持部と、被払拭物を払拭する払拭部とで構成され、
該払拭部は、前記把持部の一端に連結され、
前記払拭部には、内部から前記払拭部における一端側の端部まで切り込まれ、前記被払拭物における棒状部分が挿入できる切り込み部が設けられた
清掃具。
【請求項２】
前記切り込み部は、前記払拭部を所定の方向に貫通するように構成された
請求項１に記載の清掃具。
【請求項３】
前記切り込み部の一部に、前記切り込み部が前記払拭部を貫通する貫通方向に沿って貫通する貫通孔が設けられ、
前記貫通孔が前記切り込み部より幅広に構成された
請求項２に記載の清掃具。
【請求項４】
前記貫通孔が、前記切り込み部の他端側の端部に設けられるとともに、
円柱形状に形成された
請求項３に記載の清掃具。
【請求項５】
前記切り込み部が、所定の間隔を隔てて複数並んで設けられた
請求項１乃至請求項４のうちいずれか一項に記載の清掃具。
【請求項６】
前記把持部の一端側に、
平面状に形成されるとともに、前記払拭部が固定される固定部が設けられ、
前記払拭部は、
前記固定部の主面を覆う被覆部と、
前記固定部から一端側に向かって突出する突出部とで構成され、
前記切り込み部が、前記突出部に設けられた
請求項１乃至請求項５のうちいずれか一項に記載の清掃具。
【請求項７】
前記固定部は、平板状に構成され、
前記被覆部が、前記固定部の両主面を覆うとともに、前記固定部に固定された
請求項６に記載の清掃具。
【請求項８】
前記被覆部は、前記固定部の主面よりも幅広に形成された
請求項７に記載の清掃具。
【請求項９】
前記突出部は、
突出方向に沿った長さが、前記固定部に固定された前記被覆部の前記突出方向に沿った長さよりも短く構成された
請求項６乃至請求項８のうちいずれか一項に記載の清掃具。
【請求項１０】
前記切り込み部が、前記固定部の主面に対して直交する方向に貫通するとともに、前記突出部から前記固定部の近傍まで設けられた
請求項６乃至請求項９のうちいずれか一項に記載の清掃具。
【請求項１１】
前記払拭部は、
可撓性を有するとともに、所定の厚みを有するシート状の払拭体で構成され、
該払拭体は、
前記固定部に固定する一対の被覆構成部と、
前記被覆部同士の間に配置され、折り曲げて前記突出部を構成する突出構成部とで構成され、
前記突出構成部を折り曲げて、一対の前記被覆構成部のそれぞれを前記固定部の両主面に固定した固定状態において、
前記突出構成部は折り曲げた折り曲げ部を有する前記突出部を構成する
請求項６乃至請求項１０のうちいずれか一項に記載の清掃具。
【請求項１２】
前記把持部が長尺状に形成され、
前記切り込み部が、前記把持部の長手方向に沿って設けられた
請求項１乃至請求項１１のうちいずれか一項に記載の清掃具。
【請求項１３】
前記把持部の他端には、前記長手方向と交差する方向に突出する先鋭な先鋭部が設けられた
請求項１２に記載の清掃具。
【請求項１４】
前記把持部と前記先鋭部とのなす角が鈍角に形成された
請求項１３に記載の清掃具。
【請求項１５】
前記把持部と前記先鋭部との連結部分が円弧状に形成された
請求項１３または請求項１４に記載の清掃具。
【請求項１６】
前記払拭部は、研磨剤が備えられた
請求項１乃至請求項１５のうちいずれか一項に記載の清掃具。
【考案の詳細な説明】
【技術分野】
【０００１】
この発明は、例えば、食器洗浄機や水切りかごなどのように棒状部分を有する被払拭物を清掃する清掃具に関する。
【背景技術】
【０００２】
従来から、食器洗浄機などの被払拭物に付着した汚染物を除去するため、様々な清掃具が考案されている。例えば、特許文献１に開示されているスポンジたわしは、ウレタンを発泡させたスポンジの上面に、径の小さい繊維で構成されるとともに、親水処理された不織布が設けられており、この不織布を用いて被払拭物を払拭することにより、被払拭物に付着した細かな汚染物も確実に除去することができるとされている。
【０００３】
しかしながら、被払拭物における棒状部分を払拭する場合、スポンジたわしの不織布を棒状部分に押しつけたとしても、不織布が部分的に面接触するにとどまるため、棒状部分の外周面のうち不織布と面接触しない部分に付着した汚染物を除去できないおそれがあった。
【０００４】
特に、並列配置された棒状部分に対しては、互いに対向する部分に不織布を当接させて払拭することが困難であるため、棒状部分の外周面に付着した汚染物を十分に除去できないおそれがあった。
【先行技術文献】
【特許文献】
【０００５】
【特許文献１】実開平７−９２４７号公報
【考案の概要】
【考案が解決しようとする課題】
【０００６】
この発明は、上述した問題を鑑み、被払拭物における棒状部分に付着した汚染物を確実に除去することができる清掃具を提供することを目的とする。
【課題を解決するための手段】
【０００７】
この発明は、利用者が把持する把持部と、被払拭物を払拭する払拭部とで構成され、該払拭部は、前記把持部の一端に連結され、前記払拭部には、内部から前記払拭部における一端側の端部まで切り込まれ、前記被払拭物における棒状部分が挿入できる切り込み部が設けられたことを特徴とする。
【０００８】
前記切り込み部は、前記払拭部に一又は複数設けられてもよい。  
前記払拭部は、綿やナイロンなどで構成されたものや紙などのパルプ材で構成されたもの、ポリウレタン樹脂やメラニン樹脂などの化学樹脂で構成されたものの他、繊維を絡み合わせた不織布で構成されたもの、あるいはこれらを組み合わせたものを含む。
【０００９】
前記棒状部分は、前記切り込み部に対して挿入可能な棒状体をさし、その形状については特に限定せず、例えば棒状部分の長手方向に直交する断面が円形や多角形状に形成された柱体などを含む。
【００１０】
なお、前記棒状部分は、単数でも複数でもよく、例えば複数の棒状部分が設けられている場合には、それらの棒状部分が所定の間隔を隔てて平行に配置されていてもよいし、網状に形成してもよい。また、前記棒状部分が枠を形成していてもよい。
【００１１】
この発明により、被払拭物における棒状部分に付着した汚染物を確実に除去することができる。  
詳述すると、前記被払拭物における前記棒状部分に対して前記切り込み部を押し当てることにより、前記切り込み部の切れ込み方向に沿って前記棒状部分を挿入することができ、前記切り込み部の内面に前記棒状部分を当接させることができる。これにより、前記払拭部の表面を用いて前記被払拭物を拭うことができるだけでなく、前記棒状部分を挿入させ、前記払拭部を前記切れ込み方向に沿って動かすことで前記棒状部分に付着した汚染物を確実に除去することができる。
【００１２】
また、前記棒状部分を前記切り込み部に挟み込んだ状態で、前記棒状部分を回転軸として前記払拭部を回動させることにより、前記棒状部分の外周面の全周に亘って、前記切り込み部の内面を当接させることができる。これにより、前記棒状部分に付着した汚染物を除去することができる。
【００１３】
このように、前記払拭部を押し当てて前記被払拭物を拭うことができるとともに、前記棒状部分を前記切り込み部に挿入させて摺動させることができるため、前記被払拭物における面部分に付着した汚染物だけでなく、前記棒状部分に付着した汚染物も確実に除去することができる。
【００１４】
この発明の態様として、前記切り込み部は、前記払拭部を所定の方向に貫通するように構成されてもよい。  
上述の所定の方向とは、前記切り込み部が前記払拭部を貫通する貫通方向であり、前記払拭部における一端から他端に向かう方向と交差する方向をさす。
【００１５】
この発明により、前記棒状部分の長手方向が前記貫通方向に沿うように、前記棒状部分を前記切り込み部に押し込んで貫通させることができる。これにより、前記切り込み部の内面と接触する前記棒状部分の外周面の接触面積を増大させることができる。
【００１６】
また、前記棒状部分の長手方向が前記貫通方向に沿っているため、前記払拭部を前記貫通方向に沿って動かすことで、前記切り込み部に挿通されていない前記棒状部分を前記切れ込み部の内面に当接させることができる。これにより、前記棒状部分に付着した汚染物を容易かつ効率的に除去することができる。
【００１７】
またこの発明の態様として、前記切り込み部の一部に、前記切り込み部が前記払拭部を貫通する前記貫通方向に沿って貫通する貫通孔が設けられ、前記貫通孔が前記切り込み部より幅広に構成されてもよい。  
前記貫通孔は、前記貫通方向から視て、前記切り込み部よりも幅広に形成されていればどのような形状でもよく、例えば断面円形状や断面多角形状に形成されていてもよい。なお、前記貫通孔の断面形状は、前記棒状部分における断面形状と同形状であることが好ましい。
【００１８】
この発明によると、前記棒状部分を前記貫通孔まで挿入させることにより、前記棒状部分の外周面を囲繞するように前記貫通孔に当接させることができる。これにより、前記棒状部分における外周面を払拭することができ、より確実に前記棒状部分に付着した汚染物を除去することができる。
【００１９】
またこの発明の態様として、前記貫通孔が、前記切り込み部の他端側の端部に設けられるとともに、円柱形状に形成されてもよい。  
前記円柱形状には、前記貫通方向から視て、断面が真円状に形成されている場合のみならず、長円状や楕円状などのオーバル形状に形成されている場合も含む。
【００２０】
この発明により、前記切り込み部を介して前記貫通孔に前記棒状部分を挿通させることで、前記棒状部分が前記貫通孔を押し広げるように当接することとなる。ここで、前記貫通孔は円柱形状で形成されているため、前記貫通孔に作用する外力が、前記貫通孔における特定の部位に集中することを防止でき、前記貫通孔の特定の部位が損傷することを防止できる。
【００２１】
またこの発明の態様として、前記切り込み部が、所定の間隔を隔てて複数並んで設けられてもよい。  
この発明により、所定の間隔を隔てて並列に配置された複数の前記棒状部分を一度に前記切り込み部に挿入させて払拭することができるため、効率よく前記被払拭物に付着した汚染物を除去することができる。
【００２２】
またこの発明の態様として、前記把持部の一端側に、平面状に形成されるとともに、前記払拭部が固定される固定部が設けられ、前記払拭部は、前記固定部の主面を覆う被覆部と、前記固定部から一端側に向かって突出する突出部とで構成され、前記切り込み部が、前記突出部に設けられてもよい。
【００２３】
上述の平面状に形成されるとは、主面と直交する方向から視た形状がどのような形状であってもよく、例えば、多角形や円形に形成されていてもよい。なお、前記固定部は、一面のみが平面状に形成されている場合や、対向する二面が前記被覆部を固定できるように平面状に形成されている場合を含む。
【００２４】
この発明により、平面状の前記固定部を前記被覆部で覆うとともに、前記被覆部を前記固定部に固定できる。すなわち、前記被覆部と前記固定部とを広範囲で接着させることができるため、前記払拭部を前記把持部に強固に固定できる。したがって、前記被払拭物に押し当てた前記払拭部が前記把持部から外れることを抑制できる。
【００２５】
またこの発明の態様として、前記固定部は、平板状に構成され、前記被覆部が、前記固定部の両主面を覆うとともに、前記固定部に固定されてもよい。  
上述の前記固定部の両主面は、主面同士が平行である場合や相対的に傾いている場合を含む。
【００２６】
上述の前記被覆部が、前記固定部の両主面を覆うとともに、前記固定部に固定されとは、一体で構成された前記払拭部に設けられた一対の前記被覆部が前記両主面を挟み込むように前記固定部に固定される場合や、別体で構成された前記払拭部にそれぞれ設けられた前記被覆部が、前記両主面を挟み込むように前記固定部に固定される場合を含む。
【００２７】
この発明により、前記突出部を前記被払拭物に対して摺動させることによる前記被覆部の剥離を防止できる。  
詳述すると、前記突出部を前記被払拭物に当接させ、あるいは前記切り込み部に前記棒状部分を挿入させた状態において、前記両主面の一方に固定された被覆部（第一被覆部）が剥離するように前記突出部を摺動させたとしても、前記両主面の他方側に固定された他の被覆部（第二被覆部）を介して前記固定部が、前記第一被覆部を前記固定部から剥離する方向に作用する外力を受けるため、前記両主面の一方に固定された第一被覆部が前記固定部から剥離することを抑制できる。
【００２８】
またこの発明の態様として、前記被覆部は、前記固定部の主面よりも幅広に形成されてもよい。  
この発明によると、前記被覆部と前記固定部の主面とを接着するだけではなく、前記固定部の幅方向の端部において、互いに対向する前記被覆部同士を接着させて固定することができる。すなわち、異なる材質で構成された前記固定部と前記被覆部とを固定できるだけでなく、同材質で構成された前記被覆部で前記固定部を囲むように接着して固定できるため、前記固定部と前記払拭部とをより強固に固定できる。
【００２９】
これにより、前記被払拭物に対して前記突出部を押しつけたとしても、前記払拭部が前記固定部から剥離することを防止できる。したがって、前記被払拭物に対して強固に付着した汚染物であっても、前記払拭部を押しつけて擦ることができ、より前記被払拭物に付着した汚染物を除去することができる。
【００３０】
さらに、前記固定部の幅方向両端を前記払拭部で覆うため、前記固定部の幅方向両端が外部に露出することがなく、前記固定部の幅方向両端が前記被払拭物に対して物理的に接触することを防止できる。これにより、前記被払拭物が損傷することを防止できる。
【００３１】
またこの発明の態様として、前記突出部は、突出方向に沿った長さが、前記固定部に固定された前記被覆部の前記突出方向に沿った長さよりも短く構成されてもよい。  
この発明により、前記突出部を前記被払拭物に押しつけた場合や前記突出部を前記被払拭物に摺動させた場合に、前記被覆部と前記固定部とが剥離することをより抑制できる。このため、前記被覆部を前記被払拭物に押しつけることができ、より確実に前記被払拭物に付着した汚染物を除去できる。
【００３２】
またこの発明の態様として、前記切り込み部が、前記固定部の主面に対して直交する方向に貫通するとともに、前記突出部から前記固定部の近傍まで設けられてもよい。  
この発明により、前記棒状部分を前記切り込み部に挿通しやすくすることができる。
【００３３】
詳述すると、前記切り込み部が前記突出部から前記固定部の近傍まで設けられていることにより、前記固定部の主面に対して直交する方向に貫通する前記切り込み部によって分割された前記突出部が、前記固定部の幅方向及び直交方向に対して移動しやすくなる。これにより、前記棒状部分を前記切り込み部に容易に挿通させることができる。
【００３４】
またこの発明の態様として、前記払拭部は、可撓性を有するとともに、所定の厚みを有するシート状の払拭体で構成され、該払拭体は、前記固定部に固定する一対の被覆構成部と、前記被覆構成部同士の間に配置され、折り曲げて前記突出部を構成する突出構成部とで構成され、前記突出構成部を折り曲げて、一対の前記被覆部のそれぞれを前記固定部の両主面に固定した固定状態において、前記突出構成部は折り曲げた折り曲げ部を有する前記突出部を構成してもよい。
【００３５】
この発明により、前記被払拭物の表面及び棒状部分に付着した汚染物をより確実に除去することができる。  
詳述すると、前記被覆構成部を前記固定部に固定するとともに、前記突出構成部を折り曲げることにより、前記突出構成部により構成される前記突出部の剛性を向上させることができる。これにより、前記突出部を前記被払拭物に押しつけて摺動させることができ、前記被払拭物に強固に付着した汚染物を除去することができる。
【００３６】
また、前記払拭体のうち折り曲げられて対向する面同士は互いに接着していない。すなわち、前記切り込み部により分割されたそれぞれの前記突出部（以下、「分割払拭部」とする。）は、対向する分割払拭部と他端側が一体となっているものの、一端側が互いに独立していることとなる。このため、前記分割払拭部における前記一端側は、対向する前記分割払拭部による動きの規制が緩和される。
【００３７】
したがって、前記切り込み部に前記棒状部分を挿通させた場合において、前記分割払拭部同士は、他端側が分割されることがないものの、互いにある程度自由に動くことができ、前記切り込み部に前記棒状部分を容易に挿通させることができる。したがって、前記棒状部分に付着した汚染物をより確実に払拭することができる
【００３８】
さらにまた、前記払拭体を折り曲げるとともに、前記払拭体に設けた一対の前記被覆構成部を前記把持部に設けられた前記固定部に固定するだけで、簡易に前記清掃具を作成することができ、生産性を向上させることができる。
【００３９】
このように、可撓性を有するとともに所定の厚みを有するシート状の払拭体を、前記被覆部を前記固定部に固定するとともに、前記被覆部同士の間に設けられた前記突出構成部が前記突出部を構成するように折り曲げて前記払拭部を構成することにより、前記被払拭物における棒状部分に付着した汚染物をより確実に清掃することができるだけでなく、前記清掃具の生産性も向上させることができる。
【００４０】
またこの発明の態様として、前記把持部が長尺状に形成され、前記切り込み部が、前記把持部の長手方向に沿って設けられてもよい。  
この発明により、前記把持部を把持した状態で前記切り込み部に前記棒状部分を挿入するように、外力を作用させた場合に、前記払拭部に対して前記外力を効率よく伝えることができる。このため、前記把持部を把持して、前記切れ込み方向に沿って前記払拭部を移動させることにより、前記棒状部分を前記切り込み部に効率よく挿入させることができ、前記棒状部分に付着した汚染物を効率よく除去できる。
【００４１】
またこの発明の態様として、前記把持部の他端には、前記長手方向と交差する方向に突出する先鋭な先鋭部が設けられてもよい。  
この発明により、前記被払拭物において、前記払拭部を当接させることができない溝や隙間などの狭い箇所に前記先鋭部を当接させることができるため、溝や隙間などに付着した汚染物を除去できる。
【００４２】
またこの発明の態様として、前記把持部と前記先鋭部とのなす角が鈍角に形成されてもよい。  
この発明により、前記被払拭物における前記溝や前記隙間などのより奥まで前記先鋭部を当接させることができるため、より確実に溝や隙間に付着した汚染物を除去できる。
【００４３】
またこの発明の態様として、前記把持部と前記先鋭部との連結部分が円弧状に形成されてもよい。
【００４４】
この発明により、前記把持部と前記先鋭部との連結部分が前記被払拭物にひっかかることを防止できるため、使い勝手がよくかつ確実に溝や隙間に前記先鋭部を当接させることができる。
【００４５】
またこの発明の態様として、前記払拭部は、研磨剤が備えられてもよい。  
前記研磨剤は、研磨粒子や研磨シートなどを含む。詳しくは、研磨粒子はアクリルビーズのような樹脂ビーズを含む。
【００４６】
この発明により、前記被払拭物に前記払拭部を過度に押しつけることなく前記被払拭物を払拭することができる。すなわち、前記被払拭物に付着した汚染物を軽い力でより確実に除去することができる。また、前記被払拭物を払拭する際に、洗剤を使用する必要がないため、前記被払拭物の清掃を容易に行うことができる。
【考案の効果】
【００４７】
この発明により、被払拭物における棒状部分に付着した汚染物を確実に除去することができる清掃具を提供することを目的とする。
【図面の簡単な説明】
【００４８】
【図１】清掃具の概略斜視図。
【図２】清掃具の概略分解斜視図。
【図３】把持部の説明図。
【図４】払拭部の説明図。
【図５】払拭体の説明図。
【図６】清掃具の製造工程の説明図。
【図７】清掃具の一端側の説明図。
【図８】清掃具による食器洗浄機の清掃例の概略斜視図。
【図９】清掃具による面部分の清掃態様の説明図。
【図１０】貫通孔に棒状部分を挿入する工程の説明図。
【図１１】清掃具による角部分の清掃態様の説明図。
【図１２】他の実施形態の清掃具の概略斜視図。
【考案を実施するための形態】
【００４９】
この発明の一実施形態を以下図面と共に説明する。  
図１は清掃具１の概略斜視図を示し、図２は清掃具１の概略分解斜視図を示し、図３は把持部１０の構成を説明する説明図を示し、図４は払拭部２０の構成を説明する説明図を示し、図５は払拭体４０の構成を説明する説明図を示す。図６は、把持部１０に払拭体４０を取り付ける製造工程の概略側面図を示し、図７は、清掃具１の一端側の説明図を示す。
【００５０】
図８は清掃具１を用いて食器洗浄機５００を清掃する態様を表す概略斜視を示し、図９は清掃具１を用いて面状部５１０を清掃する態様を説明する説明図を示し、図１０は棒状部５２０を貫通孔２４に挿入する工程を説明する説明図を示し、図１１は清掃具１を用いて角状部５３０を清掃する態様を説明する説明図を示す。
図１２は他の実施形態の清掃具１の概略斜視図を示す。
【００５１】
図３乃至図７、及び図１０について詳述すると、図３（ａ）は把持部１０の概略平面図を示し、図３（ｂ）は把持部１０に対して先鋭部１３が突出する方向に沿って視た把持部１０の概略側面図を示し、図４（ａ）は払拭部２０の概略斜視図を示し、図４（ｂ）は払拭部２０の概略平面図を示す。図５（ａ）は払拭体４０の概略斜視図を示し、図５（ｂ）は払拭体４０の概略平面図を示す。
【００５２】
図６は、把持部１０に払拭体４０を取り付けて清掃具１を製造する工程を示した説明図であり、図６（ａ）は固定部１２の固定面１２１の一方に払拭体４０を固定した状態の概略側面図を、図６（ｂ）は払拭体４０を屈曲させた状態の概略側面図を、図６（ｃ）は固定部１２に対して払拭部２０を固定した状態の概略側面図を示す。
【００５３】
図７は、把持部１０の一端側に固定された払拭部２０の構成を示す説明図であり、図７（ａ）は把持部１０の一端側の概略平面図を示し、図７（ｂ）は図７（ａ）におけるＡ−Ａ矢視断面図を示し、図７（ｃ）は図７（ａ）におけるＢ−Ｂ矢視断面図を示し、図７（ｄ）は図７（ｃ）のα部の拡大断面図を示す。
【００５４】
図１０は、払拭部２０に設けられた切り込み部２３に対して棒状部５２０を挿入する過程を示す断面図であり、具体的には、図１０（ａ）は切り込み部２３に棒状部５２０を挿入する直前の断面図を示し、図１０（ｂ）は図１０（ａ）におけるβ部の拡大図を示し、図１０（ｃ）は切り込み部２３に棒状部５２０が挿入された状態の断面図を示し、図１０（ｄ）は図１０（ｃ）におけるγ部の拡大図を示し、図１０（ｅ）は貫通孔２４まで棒状部５２０が挿入された状態の断面図を示し、図１０（ｆ）は図１０（ｅ）におけるδ部の拡大図を示す。
【００５５】
食器洗浄機５００に付着した汚染物を払拭する清掃具１は、図１及び図２に示すように、利用者が把持する棒状の把持部１０と、把持部１０の一端側に連結された略角柱状の払拭部２０とで構成されている。
【００５６】
把持部１０は、樹脂で一体構成された棒状体であり、図３に示すように、所定の方向に伸びる長尺な把持部本体１１と、把持部本体１１の一端に設けられた平板状の固定部１２と、把持部本体１１の他端に、すなわち固定部１２の反対側に設けられた先鋭な先鋭部１３とで構成されている。
【００５７】
把持部本体１１は、所定の方向に沿って延びた長尺状の棒状体であり、長手方向に対して直交する断面が長円状に形成されている（図示省略）。  
なお、以下において、断面が長円状に形成された把持部本体１１の長軸方向を幅方向、短軸方向を板厚方向とする。
【００５８】
把持部本体１１の一端に設けられる固定部１２は略直方体状の平板で形成されており、平面視において、短辺が長手方向に沿うとともに、長辺が幅方向に沿った略長方形状となっている。  
この固定部１２の長辺の長さは、把持部本体１１の幅方向の長さよりも長く、固定部１２の板厚方向の長さは、把持部本体１１の板厚方向の長さよりも短くなるように構成されている。
【００５９】
また、固定部１２は、図３（ｂ）に示すように、両主面（以下、「固定面１２１」とする。）が、一端側に向かうに伴って互いの距離が狭まるように相対的に傾いて配置されている。換言すると、固定部１２は、側面視において一端側に向かうに伴って板厚が薄くなる略等脚台形状に形成されている。
【００６０】
このように構成された固定部１２の幅方向中央は、把持部本体１１の幅方向中央と一致している。また、固定部１２と把持部本体１１の連結部分は、平面視において、把持部本体１１の一端側から固定部１２の他端側に向かうに伴い、幅方向の両側に向かって円弧状に広がるように形成されている。
【００６１】
把持部本体１１の他端に設けられる先鋭部１３は、平面視において、他端側に向かうに伴い幅方向の一方側に向かって弧を描くように、把持部本体１１の他端側端部から延出している。なお、先端に向かうに伴って細くなるように構成されており、先鋭部１３の先端部分である先端部１３ａは、丸みを帯びて形成されている。  
【００６２】
このように構成された先鋭部１３は、把持部本体１１の他端と先端部１３ａとを結ぶ直線と、把持部本体１１の長手方向に沿った直線とが成す角Ａが鈍角となるように構成されている。  
また、先鋭部１３の外周面は、図３（ｂ）に示すように、把持部本体１１の外周面と面一となっているとともに、他端側に向かうに伴って板厚が薄くなるテーパ状で形成されている。
【００６３】
払拭部２０は、図４に示すように、可撓性を有する不織布で構成された略直方体形状をしており、他端側において直方体状に形成された被覆部２１、２１と、被覆部２１、２１の一端同士を連結する突出部２２とで一体に構成されている。  
なお、不織布で構成された払拭部２０には、研磨剤である樹脂ビーズ３０が不織布の形成する隙間に入り込むように備えられている。
【００６４】
被覆部２１，２１は、固定部１２よりも幅広に形成された平板状の略直方体であり、板厚方向に沿って重ねて配置されている。  
このように重ねて配置された被覆部２１，２１における対向面には、図４（ｂ）に示すように、直方体状に形成された固定部接着面２１１と、固定部接着面２１１の幅方向の両端に形成された被覆部接着面２１２とが設けられている。
【００６５】
固定部接着面２１１は、他端側の中央部分に設けられた、固定部１２と平面視略同一形状に形成された領域である。なお、固定部接着面２１１は外部から視えない、払拭部２０の内部の領域であるが、位置関係が明確となるように図４（ｂ）において破線で示している。  
この固定部接着面２１１は、清掃具１において、固定部１２と接着されて固定されている。  
【００６６】
固定部接着面２１１の両端に設けられた被覆部接着面２１２は、払拭部２０における長手方向に対応する長さが固定部接着面２１１における長手方向の長さと同じであり、払拭部２０における幅方向に対応する長さが固定部接着面２１１の幅方向に対応する長さの１０分の１程度である平面視長方形状の領域である。なお、被覆部接着面２１２は外部から視えない、払拭部２０の内部の領域であるが、位置関係が明確となるように図４（ｂ）において破線で示している。  
この被覆部接着面２１２は、清掃具１において、対向する被覆部接着面２１２と接着されている。
【００６７】
被覆部２１，２１の一端を連結する突出部２２は、互いに対向して配置される突出対向部２２１、２２１と、突出対向部２２１，２２１の一端を連結する屈曲部２２２とで一体に構成されている。
【００６８】
突出対向部２２１は、長手方向に沿った長さが、固定部接着面２１１の長手方向の長さの約半分程度で構成された略直方体である。なお、互いに対向する突出対向部２２１、２２１同士は接着されていない。  
屈曲部２２２は、突出対向部２２１、２２１の一端側から延出するとともに、一端側がＵ字状となるように湾曲して構成されている。
【００６９】
突出部２２には、板厚方向に沿って貫通する３つの切り込み部２３と、各切り込み部２３の他端に設けられた貫通孔２４が設けられている。  
切り込み部２３は、突出対向部２２１における長手方向の中央部分から屈曲部２２２の一端まで、長手方向に沿って切断されて形成された切れ目である。換言すると、切り込み部２３の他端は、固定部接着面２１１の一端の近傍まで切り込まれている。
【００７０】
このように構成された切り込み部２３は、幅方向に沿って所定の間隔を隔てて３つ並設されている。この３つ並設された切り込み部２３（幅方向の一方から順に切り込み部２３ａ、切り込み部２３ｂ、切り込み部２３ｃとする）のうち、幅方向の両端に配置された切り込み部２３（切り込み部２３ａ及び切り込み部２３ｃ）は、固定部接着面２１１に両端よりも幅方向の内側に配置されている。すなわち、３つの切り込み部２３は、幅方向において固定部接着面２１１と対応する位置に設けられている。
【００７１】
切り込み部２３の他端に設けられている貫通孔２４は、板厚方向に貫通した貫通孔であり、切り込み部２３と一体に構成されている。この切り込み部２３は、平面視において、切り込み部２３より幅広に形成された円形状に形成されている。
【００７２】
このように構成された払拭部２０は、可撓性を有するシート状の払拭体４０を屈曲させて形成されている。  
以下、図５に基づいて、払拭体４０について簡単に説明する。
【００７３】
詳述すると、払拭体４０は、図５（ａ）に示すように、所定の板厚を有するシート状の不織布であり、長手方向の両端に設けられた被覆構成部４１，４１と、被覆構成部４１，４１の間に配置された突出構成部４２とで一体に構成されている。
【００７４】
被覆構成部４１における主面の一方（図５（ａ）における上面）には、図５に示すように、幅方向の長さが長手方向の長さよりも長い平面視長方形状の固定部当接面４１１と、固定部当接面４１１の幅方向の両端に形成された被覆部当接面４１２とが設けられている。
【００７５】
固定部当接面４１１は、被覆構成部４１における主面の一方において長手方向の両端かつ幅方向の中央部分において、固定部１２と平面視略同一形状に形成された領域である。すなわち、図５における破線で囲む領域のうち、長手方向の両端かつ幅方向の中央部分に配置された領域が、固定部当接面４１１となる。
【００７６】
被覆部当接面４１２は、幅方向の長さが固定部当接面４１１の幅方向の長さ（長辺の長さ）の１０分の１程度となるような長方形状に形成された領域であり、図５における破線で囲む領域のうち、長手方向の両端かつ幅方向の両端に配置された領域である。
【００７７】
この突出構成部４２には、板厚方向に沿って貫通する３つの切込構成部４３と、各切込構成部４３の両端において一体に設けられた貫通孔構成部４４が設けられている。  
切込構成部４３は、突出構成部４２の長手方向の中央部分において板厚方向に沿って貫通させて形成された切れ目状の貫通孔である。この突出構成部４２は、幅方向に沿って所定の間隔を隔てて３つ並設されている（幅方向の一方側から切込構成部４３ａ、切込構成部４３ｂ、切込構成部４３ｃとする。）。
【００７８】
なお、３つ並設されている切込構成部４３のうち、両端に配置された切込構成部４３（切込構成部４３ａ及び切込構成部４３ｃ）は、固定部当接面４１１の幅方向の両端より内側に配置されている。すなわち、３つの切込構成部４３は、幅方向において固定部当接面４１１と対応する位置に設けられている。
【００７９】
貫通孔構成部４４は、切込構成部４３の長手方向の端部を板厚方向に沿って貫通させた貫通孔であり、平面視において、切込構成部４３より幅広に形成された円形状に形成されている。なお、貫通孔構成部４４は、外径が後述する棒状部５２０の外径よりもわずかに短くなるように構成されている。
【００８０】
このように形成された払拭体４０を把持部１０に取り付けることで清掃具１を製造することができる。
【００８１】
以下、清掃具１の製造方法を、図６に基づいて簡単に説明する。
【００８２】
はじめに、平板状に構成された払拭体４０における固定部当接面４１１及び被覆部当接面４１２に接着剤を塗布した後、固定部当接面４１１の幅方向と固定部１２の幅方向が一致するように、固定部１２に対して払拭体４０を配置し、固定部当接面４１１の一方と固定面１２１（底面側固定面１２１ｄ）とを当接させて接着させる（図６（ａ）参照）。
【００８３】
次に、固定部当接面４１１の他方側が、固定面１２１（上面側固定面１２１ｕ）と対向するように、突出構成部４２をＵ字状に屈曲させる（図６（ｂ）参照）。そして、他端側に配置された固定部当接面４１１を上面側固定面１２１ｕに当接させて接着させる（図６（ｃ）参照）。
【００８４】
ここで、払拭体４０の幅方向の長さは、固定部１２の幅方向の長さよりも長く形成されていることから、底面側固定面１２１ｄに固定された固定部当接面４１１の幅方向の両端に設けられた被覆部当接面４１２と、上面側固定面１２１ｕに固定された固定部当接面４１１の幅方向の両端に設けられた被覆部当接面４１２とが互いに対向配置されることとなる。これにより、互いに対向配置された被覆部当接面４１２、４１２を接着剤で固定することができる。
【００８５】
なお、突出構成部４２を屈曲させることにより、Ｕ字状に屈曲された突出構成部４２の他端部分（以下、対向部構成部４２１とする。）も互いに対向することとなるが、この対向部構成部４２１，４２１には接着剤を塗布されていないため接着されることがない。すなわち、対向部構成部４２１，４２１は互いに固定されず、ある程度の自由度で相対移動することができる。
【００８６】
また、互いに対向する固定部当接面４１１，４１１及び被覆部当接面４１２，４１２を正確に重なり合わせるように突出構成部４２を屈曲させることにより、突出構成部４２に設けられた切込構成部４３と貫通孔構成部４４とが、平面視において重なって配置されることとなる。
【００８７】
このように製造された清掃具１において、屈曲させて固定部１２に固定された払拭体４０は払拭部２０を構成する。すなわち、図７に示すように、払拭体４０における被覆構成部４１が被覆部２１に対応するとともに、突出構成部４２が突出部２２に対応することとなる。また、対向部構成部４２１が突出対向部２２１に対応し、突出構成部４２の一端側でＵ字状に屈曲された部分（以下、屈曲構成部４２２とする。）が屈曲部２２２に対応し、固定部当接面４１１が固定部接着面２１１に対応し、被覆部当接面４１２が被覆部接着面２１２に対応する。なお、突出構成部４２に設けられた切込構成部４３は重なり合って、払拭部２０の板厚方向に沿って貫通する切れ目状の切り込み部２３を構成し、貫通孔構成部４４も重なり合って、払拭部２０の板厚方向に沿って貫通する円柱形状の貫通孔２４を構成することとなる。
【００８８】
すなわち、互いに対向する固定部接着面２１１，２１１及び被覆部接着面２１２，２１２を正確に重なり合わせた状態では、突出構成部４２に設けられた切込構成部４３と貫通孔構成部４４とが、平面視において互いに重なって配置されている。したがって、板厚方向に貫通するとともに、長手方向に沿って一端まで切り込まれた切り込み部２３及び、板厚方向に貫通された円柱形状の貫通孔２４とが形成される（図７（ａ）、図７（ｃ）及び図７（ｄ）参照）。
【００８９】
突出構成部４２で構成される突出部２２は、対向部構成部４２１で構成される突出対向部２２１同士は互いに接着されておらず、また一端側が、Ｕ字状に屈曲された屈曲構成部４２２により構成された屈曲部２２２によって連結されている。このように構成された突出部２２は切り込み部２３及び貫通孔２４によって４つに分割されている。この４つに分割された突出部２２を、幅方向の一方側から順に分離突出部２２ａ，２２ｂ，２２ｃ，２２ｄとする。
【００９０】
次に、このように構成された清掃具１を用いて、被払拭物である食器洗浄機５００を清掃する清掃方法について説明する。  
はじめに、食器洗浄機５００の構成について簡単に説明する。食器洗浄機５００は、図８に示すように、食器洗浄機５００の外装部の内面を構成する面状部５１０と、面状部５１０の内部において食器を配置するための枠を形成する棒状部５２０と、面状部５１０に形成される角状部５３０とで構成されている。
【００９１】
例えば、清掃具１を用いて食器洗浄機５００における面状部５１０を清掃する場合、図９に示すように、面状部５１０に対して払拭部２０の全体を押し付けるとともに、面状部５１０に沿って払拭部２０を摺動させることで、面状部５１０に付着した汚染物を除去することができる。
【００９２】
また、例えば、清掃具１を用いて棒状部５２０を清掃する場合、面状部５１０を清掃する場合と同じように、払拭部２０の面で棒状部５２０を払拭しても良いが、例えば、切り込み部２３及び貫通孔２４に棒状部５２０を挟み込んで払拭してもよい。
【００９３】
詳述すると、把持部１０を把持して長手方向に向けて清掃具１を押し込むことで、図１０に示すように、切り込み部２３に沿う方向に向かって清掃具１を動かし、棒状部５２０を切り込み部２３に押し入れる（図１０（ａ）及び図１０（ｂ）参照）。  
【００９４】
このように把持部１０を把持して長手方向に向けて清掃具１を押し込むことで、押し入れる棒状部５２０が切り込み部２３を幅方向に沿って押し広げるように当接させることができるため、切り込み部２３の内面を棒状部５２０の側面部分に確実に当接させることができる（図１０（ｃ）及び図１０（ｄ）参照）。すなわち、切り込み部２３の内面を広範囲の棒状部５２０と当接させることができる。
【００９５】
さらに把持部１０を把持して長手方向に向けて清掃具１を押し込むことで、棒状部５２０を切り込み部２３の他端に設けられた貫通孔２４まで押し入れることができる。これにより、棒状部５２０の周方向全周を貫通孔２４に当接させることができる（図１０（ｅ）及び図１０（ｆ）参照）。
【００９６】
このとき、押し入れられる棒状部５２０によって切り込み部２３及び切り込み部２３の他端に設けられた貫通孔２４が、破線で示した棒状部５２０を押し入れる前の切り込み部２３及び貫通孔２４と比べ、幅方向に向かって押し広げられるが、貫通孔２４が円柱形状で形成されているため、貫通孔２４に作用する外力が特定の部位の集中し損傷することを防止できる（図１０（ｅ）及び図１０（ｆ）参照）。
【００９７】
そして、棒状部５２０を切り込み部２３の他端に設けられた貫通孔２４まで押し入れた状態から、棒状部５２０の長手方向に沿って清掃具１を摺動することで、棒状部５２０が払拭部２０によって擦られ、棒状部５２０に付着した汚染物を除去することができる。
【００９８】
さらにまた、清掃具１を用いて角状部５３０を清掃する場合、図１１に示すように、角状部５３０に対しては、破線で示すように、払拭部２０を押し付けたとしても当接せず、角状部５３０に付着した汚染物を除去することができないため、先鋭部１３の先端部１３ａを当接させて擦ることで、角状部５３０に付着した汚染物を除去することができる。
【００９９】
このように構成された清掃具１は、利用者が把持する把持部１０と、食器洗浄機５００を払拭する払拭部２０とで構成され、払拭部２０は、把持部１０の一端に連結され、払拭部２０には、内部から払拭部２０における一端側の端部まで切り込まれ、食器洗浄機５００における棒状部５２０が挿入できる切り込み部２３が設けられることにより、食器洗浄機５００における棒状部５２０に付着した汚染物を確実に除去することができる。
【０１００】
詳述すると、食器洗浄機５００における棒状部５２０に対して切り込み部２３を押し当てることにより、切り込み部２３の切れ込み方向に沿って棒状部５２０を挿入することができ、切り込み部２３の内面に棒状部５２０を当接させることができる。これにより、払拭部２０の表面を用いて食器洗浄機５００を拭うことができるだけでなく、棒状部５２０を挿入させ、払拭部２０を切れ込み方向に沿って動かして棒状部５２０に付着した汚染物を確実に除去することができる。
【０１０１】
また、棒状部５２０を切り込み部２３に挟み込んだ状態で、棒状部５２０を回転軸として払拭部２０を回動させることにより、棒状部５２０の外周面の全周に亘って、切り込み部２３の内面を当接させることができる。これにより、棒状部５２０に付着した汚染物を除去することができる。
【０１０２】
このように、払拭部２０を押し当てて食器洗浄機５００を拭うことができるとともに、棒状部５２０を切り込み部２３に挿入させて摺動させることができるため、食器洗浄機５００における面部分に付着した汚染物だけでなく、棒状部５２０に付着した汚染物も確実に除去することができる。
【０１０３】
また、切り込み部２３は、払拭部２０を板厚方向に貫通するように構成されることにより、棒状部５２０の長手方向が貫通方向に沿うように、棒状部５２０を切り込み部２３に押し込んで貫通させることができる。これにより、切り込み部２３の内面と接触する棒状部５２０の外周面の接触面積を増大させることができる。
【０１０４】
また、棒状部５２０の長手方向が貫通方向に沿っているため、払拭部２０を貫通方向に沿って動かすことで、切り込み部２３に挿通されていない棒状部５２０を切れ込み部の内面に当接させることができる。これにより、棒状部５２０に付着した汚染物を容易かつ効率的に除去することができる。
【０１０５】
また、切り込み部２３の一部に、切り込み部２３が払拭部２０を貫通する貫通方向に沿って貫通する貫通孔２４が設けられ、貫通孔２４が切り込み部２３より幅広に構成されることで、棒状部５２０を貫通孔２４まで挿入させることにより、棒状部５２０の外周面を囲繞するように貫通孔２４に当接させることができる。これにより、棒状部５２０における外周面を払拭することができ、より確実に棒状部５２０に付着した汚染物を除去することができる。
【０１０６】
また、貫通孔２４が、切り込み部２３の他端側の端部に設けられるとともに、円柱形状に形成されることで、切り込み部２３を介して貫通孔２４に棒状部５２０を挿通させることで、棒状部５２０が貫通孔２４を押し広げるように当接することとなる。ここで、貫通孔２４は円柱形状で形成されているため、棒状部５２０により貫通孔２４に作用する外力が、貫通孔２４における特定の部位に集中することを防止でき、貫通孔２４の特定の部位が損傷することを防止できる。
【０１０７】
また、切り込み部２３が、所定の間隔を隔てて三本が並んで設けられることにより、所定の間隔を隔てて並列に配置された複数の棒状部５２０を一度に切り込み部２３に挿入させて払拭することができるため、効率よく食器洗浄機５００に付着した汚染物を除去することができる。
【０１０８】
また、把持部１０の一端に、平面状に形成されるとともに、払拭部２０が固定される固定部１２が設けられ、払拭部２０は、固定部１２の主面を覆う被覆部２１と、固定部１２から一端側に向かって突出する突出部２２とで構成され、切り込み部２３が、突出部２２に設けられたことにより、平面状の固定部１２を被覆部２１で覆うとともに、被覆部２１を固定部１２に固定できる。すなわち、被覆部２１と固定部１２とを広範囲で接着させることができるため、払拭部２０を把持部１０に強固に固定できる。したがって、食器洗浄機５００に押し当てた払拭部２０が把持部１０から外れることを抑制できる。
【０１０９】
またこの発明の態様として、固定部１２は、平板状に構成され、被覆部２１が、固定部１２の固定面１２１を覆うとともに、固定部１２に固定されることで、突出部２２を食器洗浄機５００に対して摺動させることによる被覆部２１の剥離を防止できる。
【０１１０】
詳述すると、突出部２２を食器洗浄機５００に当接させ、あるいは切り込み部２３に棒状部５２０を挿入させた状態において、固定面１２１のうち底面側固定面１２１ｄに固定された被覆部２１である第一被覆部が剥離するように突出部２２を摺動させたとしても、固定面１２１のうち上面側固定面１２１ｕに固定された被覆部２１である第二被覆部を介して固定部１２が、第一被覆部２１ｄを固定部１２から剥離する方向に作用する外力を受けるため、底面側固定面１２１ｄに固定された第一被覆部が固定部１２から剥離することを抑制できる。
【０１１１】
なお、突出部２２を食器洗浄機５００に当接させ、固定面１２１のうち、上面側固定面１２１ｕに固定された第二被覆部が剥離する方向に向けて突出部２２を摺動させた場合も同様に、上面側固定面１２１ｕに固定された第二被覆部が固定部１２から剥離することを抑制できる。
【０１１２】
また、被覆部２１は、固定部１２の固定面１２１よりも幅広に形成されることで、被覆部２１と固定部１２の固定面１２１とを接着するだけではなく、固定部１２の幅方向の端部において、互いに対向する被覆部２１の被覆部接着面２１２同士を接着して固定することができる。すなわち、異なる材質で構成された固定部１２と被覆部２１とを固定できるだけでなく、同材質で構成された被覆部接着面２１２同士を接着し、被覆部２１で固定部１２を囲むように固定できるため、固定部１２と払拭部２０とを強固に固定できる。
【０１１３】
これにより、食器洗浄機５００に対して突出部２２を押しつけたとしても、払拭部２０が固定部１２から剥離することを防止できる。したがって、食器洗浄機５００に対して強固に付着した汚染物であっても、払拭部２０を押しつけて擦ることができ、より食器洗浄機５００に付着した汚染物を除去することができる。
【０１１４】
さらに、固定部１２の幅方向両端を払拭部２０で覆うため、固定部１２の幅方向両端が外部に露出することがなく、固定部１２の幅方向両端が食器洗浄機５００に対して物理的に接触することを防止できる。これにより、食器洗浄機５００が損傷することを防止できる。
【０１１５】
また、突出部２２は、突出方向に沿った長さが、固定部１２に固定された被覆部２１の突出方向に沿った長さよりも短く構成されることにより、突出部２２を食器洗浄機５００に押しつけた場合や突出部２２を食器洗浄機５００に摺動させた場合に、被覆部２１と固定部１２とが剥離することをより抑制できる。このため、被覆部２１を食器洗浄機５００に押しつけることができ、より確実に食器洗浄機５００に付着した汚染物を除去できる。
【０１１６】
また、切り込み部２３が、固定部１２の板厚方向に貫通するとともに、突出部２２から固定部１２の近傍まで設けられることにより、棒状部５２０を切り込み部２３に挿通しやすくすることができる。  
【０１１７】
詳述すると、切り込み部２３が突出部２２から固定部１２の近傍まで設けられていることにより、固定部１２の主面である固定面１２１に対して直交する方向に貫通する切り込み部２３によって分割された突出部２２（分離突出部２２ａ，２２ｂ，２２ｃ，２２ｄ）が、固定部１２の幅方向及び直交方向に対して移動しやすくなる。これにより、棒状部５２０を切り込み部２３に容易に挿通させることができる。
【０１１８】
また、払拭部２０は、可撓性を有するとともに、所定の厚みを有するシート状の払拭体４０で構成され、払拭体４０は、固定部１２に固定する一対の被覆構成部４１と、被覆構成部４１，４１の間に配置され、折り曲げて突出部２２を構成する突出構成部４２とで構成され、突出構成部４２を折り曲げて、一対の被覆構成部４１のそれぞれを固定部１２の固定面１２１に固定した固定状態において、突出構成部４２は折り曲げた屈曲部２２２を有する突出部２２を構成されることにより、食器洗浄機５００の表面及び棒状部５２０に付着した汚染物をより確実に除去することができる。
【０１１９】
詳述すると、被覆構成部４１を固定部１２に固定するとともに、突出構成部４２を折り曲げることにより、突出構成部４２により構成される突出部２２の剛性を向上させることができる。これにより、突出部２２を食器洗浄機５００に押しつけて摺動させることができ、食器洗浄機５００に強固に付着した汚染物を除去することができる。
【０１２０】
また、払拭体４０のうち折り曲げられて対向する面同士は互いに接着していない。すなわち、切り込み部２３により分離されたそれぞれの分離突出部２２ａ，２２ｂ，２２ｃ，２２ｄは、互いに対向する突出対向部２２１の他端側が屈曲部２２２で連結されているため一体となっているものの、一端側が互いに独立している。このため、それぞれの分離突出部２２ａ，２２ｂ，２２ｃ，２２ｄにおける一端側は、互いに対向する突出対向部２２１による動きの規制が緩和される。
【０１２１】
したがって、切り込み部２３に棒状部５２０を挿通させた場合において、それぞれの分離突出部２２ａ，２２ｂ，２２ｃ，２２ｄは、他端側が分離されることがないものの、互いにある程度自由に動くことができる。したがって、切り込み部２３に棒状部５２０を容易に挿通させることができ、棒状部５２０に付着した汚染物をより確実に払拭することができる
【０１２２】
さらにまた、払拭体４０を折り曲げるとともに、払拭体４０に設けた一対の被覆構成部４１を把持部１０に設けられた固定部１２に固定するだけで、簡易に清掃具１を作成することができ、生産性を向上させることができる。
【０１２３】
このように、可撓性を有するとともに所定の厚みを有するシート状の払拭体４０を、被覆構成部４１を固定部１２に固定するとともに、被覆構成部４１，４１の間に設けられた突出構成部４２が突出部２２を構成するように折り曲げて払拭部２０を構成することにより、食器洗浄機５００における棒状部５２０に付着した汚染物をより確実に清掃することができるだけでなく、清掃具１の生産性も向上させることができる。
【０１２４】
また、把持部１０が長尺状に形成され、切り込み部２３が、把持部１０の長手方向に沿って設けられることで、把持部１０を把持した状態で切り込み部２３に棒状部５２０を挿入するように、外力を作用させた場合に、払拭部２０に対して外力を効率よく伝えることができる。このため、把持部１０を把持して、切れ込み方向に沿って払拭部２０を移動させることにより、棒状部５２０を切り込み部２３に効率よく挿入させることができ、棒状部５２０に付着した汚染物を効率よく除去できる。
【０１２５】
また、把持部１０の他端には、把持部１０の長手方向と交差する方向に突出する先鋭な先鋭部１３が設けられることで、食器洗浄機５００において、払拭部２０を当接させることができない角状部５３０に先鋭部１３を当接させることができるため、角状部５３０に付着した汚染物を除去できる。
【０１２６】
また、把持部１０と先鋭部１３とのなす角Ａが約１４５度に形成されることで、食器洗浄機５００における角状部５３０のより奥まで先鋭部１３を当接させることができるため、より確実に角状部５３０に付着した汚染物を除去できる。
【０１２７】
また、把持部１０と先鋭部１３との連結部分が円弧状に形成されることで、把持部１０と先鋭部１３との連結部分が食器洗浄機５００にひっかかることを防止できるため、使い勝手がよくかつ確実に溝や隙間に先鋭部１３を当接させることができる。
【０１２８】
また、払拭部２０は、樹脂ビーズ３０が備えられることで、食器洗浄機５００に払拭部２０を過度に押しつけることなく食器洗浄機５００を払拭することができる。すなわち、食器洗浄機５００に付着した汚染物を軽い力でより確実に除去することができる。また、食器洗浄機５００を払拭する際に、洗剤を使用する必要がないため、食器洗浄機５００の清掃を容易に行うことができる。
【０１２９】
この発明の構成と、上述の実施形態との対応において、
この発明の被払拭部は、実施形態の食器洗浄機５００に対応し、
以下同様に、
棒状部分は、棒状部５２０に対応し、
固定部の主面は、固定面１２１に対応し、
折り曲げ部は、屈曲部２２２に対応し、
研磨剤は、樹脂ビーズ３０に対応するが、
この発明は、上述の実施形態の構成のみに限定されるものではなく、多くの実施の形態を得ることができる。
【０１３０】
例えば、本実施形態において、切り込み部２３は、払拭部２０の幅方向に沿って所定の間隔を隔てて３つ並設されているが、この構成に限定されることはなく、例えば、切り込み部２３は払拭部２０に１つ設けられていてもよく、あるいは、２つ又は４つ以上が設けられていてもよい。
具体的には、図１２に示すように、切り込み部２３が、払拭部２０の幅方向中央に１つが設けられていてもよい。なお、１つの切り込み部２３が設けられる場所は、払拭部２０の幅方向中央でなくてもよい。
【０１３１】
また、払拭部２０は、本実施形態において、繊維を絡み合わせた不織布で構成されているが、綿やナイロンなどで構成されたものや紙などのパルプ材で構成されたもの、ポリウレタン樹脂やメラニン樹脂などの化学樹脂で構成されたものでもよい。また、不織布、パルプ材、及び化学樹脂を組み合わせたものであってもよい。
【０１３２】
棒状部５２０は、本実施形態において、棒状部５２０の長手方向に直交する断面が真円に形成された棒状体により形成されているが、形状については特に限定せず、例えば、棒状部５２０の長手方向に直交する断面が長円及び楕円などのオーバル形状や多角形状に形成された柱体などでもよい。この場合、貫通孔の断面形状は棒状部５２０の断面形状と略同形状であることが好ましい。
【０１３３】
なお、棒状部５２０は複数本が所定の間隔を隔てて略平行に配置されているが、棒状部５２０が網状に配置されていてもよいし、棒状部５２０が枠を形成していてもよい。また、棒状部５２０が単数であってもよい。  
切り込み部２３が払拭部２０を貫通する貫通方向は、本実施形態において、板厚方向に沿っているが、払拭部２０の一端から他端に向かう方向と交差する方向であればよい。
【０１３４】
また、貫通孔２４は、本実施形態において、貫通方向から視て、切り込み部２３よりも幅広な真円に形成されているが、切り込み部２３よりも幅広であれば形状は限定せず、例えば、長円及び楕円などのオーバル形状や多角形状に形成されていてもよく、必ずしも棒状部５２０の断面形状と同一である必要はない。
【０１３５】
さらにまた、固定部１２は、本実施形態において、略直方体状の平板であり、平面視において略長方形状に形成されているが、平面視における形状がどのような形状であってもよく、例えば、多角形や円形に形成されていてもよい。  
また、固定部１２の固定面１２１は、一端側に向かうに伴って互いの距離が狭まるように相対的に傾いて配置されているが、平行に配置されていてもよい。
【０１３６】
把持部本体１１の他端と先端部１３ａとを結ぶ直線と、把持部本体１１の長手方向に沿った直線とが成す角Ａは、本実施形態において約１４５度に設定されているが、これに限定されず、例えば鋭角や直角となるように構成されていてもよい。なお、角Ａは鈍角となるように形成されることが好ましい。  
樹脂ビーズ３０が、本実施形態において研磨剤として払拭部２０に備えられているが、樹脂ビーズ３０に限定されず、研磨粒子や研磨シートなどでもよい。
【符号の説明】
【０１３７】
１…清掃具
１０…把持部
１２…固定部
１３…先鋭部
２０…払拭部
２１…被覆部
２２…突出部
２３，２３ａ，２３ｃ…切り込み部
２４…貫通孔
４０…払拭体
４１…被覆構成部
４２…突出構成部
【図１】
0003221086.tif 000003
【図２】
0003221086.tif 000004
【図３】
0003221086.tif 000005
【図４】
0003221086.tif 000006
【図５】
0003221086.tif 000007
【図６】
0003221086.tif 000008
【図７】
0003221086.tif 000009
【図８】
0003221086.tif 000010
【図９】
0003221086.tif 000011
【図１０】
0003221086.tif 000012
【図１１】
0003221086.tif 000013
【図１２】
0003221086.tif 000014